(57)【要約】【課題】ストレーナの清掃を良好に且つ簡単に行うことができるストレーナユニットを提供する。【解決手段】筒状をなし、軸方向の先端側から相手側管体３２の内部に挿入され、流水を内周側から外周側に通過させて異物除去するストレーナ５２と、給水ホースへの接続部及び相手側管体３２への取付部を備えたストレーナ保持部５４と、ストレーナ５２の先端の開口面を開閉可能に閉鎖するストレーナキャップ８０とを含んでストレーナユニット２０を構成し、これを給水ホース接続状態の下で相手側管体３２に対して着脱可能となしておく。【選択図】        図２
2010253448.tif 000002
【特許請求の範囲】
【請求項１】
(イ)筒状をなし、軸方向の先端側から相手側管体の挿入口を通じて該相手側管体の内部に挿入され、流水を内周側から外周側に通過させて内周面を濾過面として該流水中の異物を濾過し除去するストレーナと、
(ロ)該ストレーナを前記相手側管体に取り付けるための取付部と、
(ハ)該ストレーナより上流側の可撓性を有する給水ホースと接続される接続部と、
(ニ)該ストレーナの先端の開口面を開閉可能に閉鎖するストレーナキャップと、
を有しており、前記給水ホース接続状態の下で前記相手側管体に対して着脱可能となしてあることを特徴とするストレーナユニット。
【請求項２】
請求項１において、内部に流路を形成する筒状のストレーナ保持部を有しており、該ストレーナ保持部に前記取付部と前記給水ホースとの接続部が設けられていることを特徴とするストレーナユニット。
【請求項３】
請求項１，２の何れかのストレーナユニットを前記給水ホース接続状態の下で前記相手側管体から取り出し、前記ストレーナキャップを開いて前記ストレーナの前記開口面を開放して下向きとし、且つ前記給水ホースを上側として、該給水ホース内の残水を該ストレーナの内周面に沿って下向きに軸方向に流すことで、該ストレーナの内周面の付着異物を洗い流し、除去することを特徴とするストレーナユニットにおけるストレーナの清掃方法。
【発明の詳細な説明】
【技術分野】
【０００１】
この発明はストレーナにより流水中からゴミや砂等の異物を濾過し除去するストレーナユニット、詳しくはストレーナが筒状をなしているものに関する。
【背景技術】
【０００２】
従来より様々な水周り機器において、流水の流路を横切る状態にストレーナを設け、流水中からゴミや砂等の異物を濾過し除去することが行われている。
このストレーナの濾過面には長期使用の間に異物が付着し堆積するため、定期的に異物をストレーナから除去するための清掃を行うことが必要である。
【０００３】
従来にあって、ストレーナに付着した異物を除去するためには、ストレーナを取付個所から取り出した上でこれを他の別の場所、例えば洗面台や流し台に持って行って、そこでストレーナの濾過面に水栓の吐水口から吐水を当てて清掃するといったことが必要で、その作業が煩わしい作業となっていた。
【０００４】
またその他に、ストレーナの清掃即ちメンテナンスのためにストレーナを取付個所から取り外したとき、ストレーナの濾過面に付着した異物が落下したりストレーナの濾過面が取付個所詳しくは相手側管体の内面に接触したりして異物が相手側管体の内面に付着し、清掃した後のストレーナを再び相手側管体に挿入して取り付ける際に、Ｏリング等止水のためのシール部材が、相手側管体の内面に付着した異物を噛み込んでしまい、これが漏水の原因になるといった問題を生じていた。
【０００５】
例えば下記特許文献１の図８や、下記特許文献２の図３に示されるようにストレーナが筒状をなしており、流水を外周側から内周側に径方向に通過させて外周面を濾過面として流水中から異物除去するものである場合（ストレーナの形状及び用い方はこのようなものが一般的である）に、特にこうしたことが生じ易い。
【０００６】
ストレーナが筒状をなしている場合、ストレーナを相手側管体から取り出す際に外周面が相手側管体の内面に接触し易く、従ってストレーナの外周面が濾過面をなしている場合、そこに付着している異物が相手側管体に付着し易く、而してその異物の付着した個所がシール部材によるシール面である場合、シール部材が異物を噛み込んでしまうといったことが生じる。
【先行技術文献】
【特許文献】
【０００７】
【特許文献１】特開２００６−３０７８７５号公報
【特許文献２】特開２００２−１５９８０８号公報
【発明の概要】
【発明が解決しようとする課題】
【０００８】
本発明は以上のような事情を背景とし、ストレーナの清掃を良好に且つ簡単に行うことができるストレーナユニット及びそのストレーナユニットにおけるストレーナの清掃方法を提供することを目的としてなされたものである。
【課題を解決するための手段】
【０００９】
而して請求項１はストレーナユニットに関するもので、(イ)筒状をなし、軸方向の先端側から相手側管体の挿入口を通じて該相手側管体の内部に挿入され、流水を内周側から外周側に通過させて内周面を濾過面として該流水中の異物を濾過し除去するストレーナと、(ロ)該ストレーナを前記相手側管体に取り付けるための取付部と、(ハ)該ストレーナより上流側の可撓性を有する給水ホースと接続される接続部と、(ニ)該ストレーナの先端の開口面を開閉可能に閉鎖するストレーナキャップと、を有しており、前記給水ホース接続状態の下で前記相手側管体に対して着脱可能となしてあることを特徴とする。
【００１０】
請求項２のものは、請求項１において、内部に流路を形成する筒状のストレーナ保持部を有しており、該ストレーナ保持部に前記取付部と前記給水ホースとの接続部が設けられていることを特徴とする。
【００１１】
請求項３はストレーナユニットにおけるストレーナの清掃方法に関するもので、請求項１，２の何れかのストレーナユニットを前記給水ホース接続状態の下で前記相手側管体から取り出し、前記ストレーナキャップを開いて前記ストレーナの前記開口面を開放して下向きとし、且つ前記給水ホースを上側として、該給水ホース内の残水を該ストレーナの内周面に沿って下向きに軸方向に流すことで、該ストレーナの内周面の付着異物を洗い流し、除去することを特徴とする。
【発明の作用・効果】
【００１２】
以上のように本発明は、筒状をなし内周面を濾過面として流水中の異物を濾過し除去するストレーナと、ストレーナを相手側管体に取り付けるための取付部と、ストレーナより上流側の可撓性を有する給水ホースと接続される接続部と、ストレーナの先端の開口面を開閉可能に閉鎖するストレーナキャップとを備えてストレーナユニットを構成し、そしてそのストレーナユニットを給水ホース接続状態の下で相手側管体に対し着脱可能となしたものである。
【００１３】
かかる本発明においては、給水ホース接続状態の下でストレーナユニットを相手側管体から取り出し、そしてストレーナキャップを開いてストレーナの先端の開口面を開放して下向きとし且つ給水ホースを上側として、給水ホース内の残水をストレーナの内周面に沿って下向きに軸方向に流すことで、ストレーナの内周面の付着異物を洗い流し除去することができる（請求項３）。
そしてこのようにすることで、ストレーナの清掃をその場で簡単に行うことができる。
【００１４】
即ち、従来のようにストレーナを相手側管体から取り出した後、これを別の場所である洗面台や流し台等に持ち運んで、そこで水栓の吐水口からの吐水の流れによって清掃するといった面倒なことを行わなくても、ストレーナを給水ホースに接続した状態のまま、その場において簡単に清掃することができる。
併せてストレーナの濾過面である内周面に付着し堆積している異物を、残水の流れによって綺麗に洗い流し除去することができる。
【００１５】
ストレーナの内周面に沿って先端の開口面に向かって軸方向に流れる給水ホース内の残水の流れは、ストレーナの内周面に付着している異物を引き離す方向の強い流れとなり、そのような流れによってストレーナの内周面の異物を効率高く除去することができるのである。
【００１６】
本発明では、内部に流路を形成する筒状のストレーナ保持部をストレーナユニットに具備させ、そのストレーナ保持部に上記の取付部と給水ホースとの接続部を設けておくことができる（請求項２）。
【図面の簡単な説明】
【００１７】
【図１】本発明の実施形態のストレーナユニットを含む流路の系統図である。
【図２】同実施形態のストレーナユニットを周辺部とともに示す断面図である。
【図３】図２に示す部材を分解して示す斜視図である。
【図４】図３のストレーナを、ストレーナキャップを外した状態で示す斜視図である。
【発明を実施するための形態】
【００１８】
次に本発明の実施形態を図面に基づいて詳しく説明する。
図１において、１０は便器に備えられ、洗浄ノズル１２から洗浄水を噴射して人体局部を洗浄する局部洗浄装置で、１４はその局部洗浄装置１０に給水を行う流路、１６はその流路１４の一部をなす可撓性を有する給水ホースである。
流路１４には、図中左側から止水栓１８，ストレーナユニット２０，止水弁２２，温水タンク２４が設けられている。
ここで止水弁２２は、局部洗浄装置１０の内部流路を全体的に開閉する主弁としてのもので、ここではダイヤフラム式開閉弁から成っている。
【００１９】
局部洗浄装置１０は、止水弁２２の開弁状態の下で流路１４を通じて送られて来た水を温水タンク２４に導き、更に温水タンク２４から温水を流出させて洗浄ノズル１２へと導き、洗浄ノズル１２から勢い良く人体局部に向けて噴射する。
【００２０】
２６は流路１４から分岐した分岐流路で、この分岐流路２６は流路１４からの水を手洗用の吐水管に導く。
２８は同じく流路１４から分岐して延び出した圧抜路で、この圧抜路２８上には圧力逃し弁としての水圧制御弁３０が設けられている。
この水圧制御弁３０は、流路１４内の圧力が設定圧を超えて上昇しようとするとき開弁して流路１４の圧力を抜き、流路１４の圧力が設定圧を超えて過大となるのを防止する働きをなす。
【００２１】
図２〜図４に、ストレーナユニット２０の具体的構成が周辺部の構造とともに示してある。
図２において、３２はストレーナユニット２０を取り付けるべき相手側管体で、全体として円筒状をなしており、軸方向端（図中上端）に、流路１４に連通した開口３４を有し、また周壁に分岐流路２６に連通した開口３６を有している。
また図中下端部には雄ねじ３８を有するねじ結合部４０を有している。ねじ結合部４０の図中下端の開口はストレーナユニット２０の挿入口１０２を成している。
【００２２】
４２は、ストレーナユニット２０を相手側管体３２に脱着可能に取り付けるためのねじリングで、内周面に雄ねじ３８に螺合する雌ねじ４４を有している。
４６は、上記給水ホース１６の一端部に装着された端部金具で、この端部金具４６は、フランジ部４８とフランジ部４８から図中上側に突き出した雄嵌合部４９とを有しており、その雄嵌合部４９においてシール部材としてのＯリング５０を保持している。
【００２３】
上記ストレーナユニット２０は、それぞれが円筒状をなすストレーナ５２と、筒状のストレーナ保持部５４とを有しており、そのストレーナ保持部５４によって、ストレーナ５２が同軸状に保持されている。
ストレーナ保持部５４は、図中下端部に雌嵌合部５６とフランジ部５８とを有している。
【００２４】
そしてこの雌嵌合部５６が端部金具４６の上記雄嵌合部４９に対して、フランジ部５８，４８を互いに当接させる状態に外嵌状態に嵌合され、その状態でそれら雌嵌合部５６と雄嵌合部４９とが、金属製のばねクリップ６０にて互いに結合されている。
【００２５】
ばねクリップ６０は、図３に示しているように略リング状をなして、周方向所定個所に嵌込用の開口６２を有しており、また図中上下方向の幅方向の中間部に、周方向に沿って延びる係入溝６４を有している。
ばねクリップ６０は、上記一対のフランジ部５８，４８を重ね合せた状態で嵌込用開口６２から係入溝６４に軸直角方向に係入させることで、雌嵌合部５６と雄嵌合部４９、即ちストレーナ保持部５４と端部金具４６とを抜止状態に結合する。
【００２６】
上記ストレーナ５２は、図４に示しているように円筒状をなすメッシュ状部材６６と、その保持枠６８とを有している。
保持枠６８は、図中上端に円形のリング状部７０を、また図中下端に同じく円形をなす雌嵌合部７２を有しており、そしてそれらリング状部７０と雌嵌合部７２とが、メッシュ状部材６６の内側において補強板７４にて連結され、またメッシュ状部材６６の外周側において軸方向(図中上下方向)に縦に延びる複数の補強リブ７６にて連結されている。
尚図中上端のリング状部７０の外面には、周方向に１８０°隔たった２個所に係合突起７８が設けられている。
【００２７】
ストレーナ５２は、先端即ち図中上端が開口面をなしており、その開口面が、脱着可能なストレーナキャップ８０によって閉鎖されている。
ストレーナキャップ８０は有底の円筒状をなしていて、円板状をなす蓋部８２（図２参照）と、周壁８４とを有しており、その周壁８４の１８０°隔たった２個所に係合溝８６が設けられている。
【００２８】
これら係合溝８６は、全体としてＬ字状をなしており、図４に示すように周壁８４の下端から図中上方向に延び、上記の係合突起７８が通過可能な差込溝部８６Ａと、この差込溝部８６Ａに続いて周方向に円弧状に延びる係合溝部８６Ｂとを有している。
【００２９】
このストレーナキャップ８０は、次のようにしてストレーナ５２に対し簡単に着脱することができる。
即ち、ストレーナ５２の上端の係合突起７８を係合溝８６の差込溝部８６Ａに差し込むようにして、ストレーナキャップ８０をストレーナ５２のリング状部７０に図中下向きに嵌め合せ、その後ストレーナキャップ８０を図４中反時計方向に回転操作し、係合突起７８を係合溝部８６Ｂに係合させることで、ストレーナキャップ８０をストレーナ５２に取り付けることができる。
而してストレーナキャップ８０をストレーナ５２に取り付けた状態の下で、ストレーナ５２の上端の開口面はストレーナキャップ８０にて閉鎖された状態となる。
【００３０】
一方ストレーナキャップ８０を逆方向（図中時計方向）に回転操作した上で、ストレーナキャップ８０を図中上向きに持ち上げることで、ストレーナキャップ８０をストレーナ５２から簡単に取り外すことができる。
而してストレーナキャップ８０を取り外した状態の下で、ストレーナ５２の上端の開口面は開放された状態となる。即ちストレーナ５２の内部が外部に開放された状態となる。
【００３１】
尚、ストレーナ５２は上記と同様の着脱構造にてストレーナ保持部５４に対しても着脱可能とされている。
即ち、図３及び図４に示しているようにストレーナ５２における図中下端の雌嵌合部７２には、上記と同様の係合溝８６が形成され、また一方ストレーナ保持部５４の上端部には円形の雄嵌合部８８が設けられていて、その雄嵌合部８８に係合突起７８が設けられ、それら係合突起７８と係合溝８６との係合に基づいて、ストレーナ５２が雌嵌合部７２を雄嵌合部８８に外嵌状態に嵌合させた状態にストレーナ保持部５４に取り付けられ、或いはこれから取外し可能とされている。
【００３２】
尚このようにストレーナ５２をストレーナ保持部５４に対して着脱可能としておくことで、ストレーナ５２の取替えの必要が生じたときに簡単にこれを行うことができるが、場合によってストレーナ５２をストレーナ保持部５４に一体に結合状態に設けておくこともできる。
【００３３】
ストレーナ保持部５４は、上記相手側管体３２の内面に水密に嵌合する嵌合部９２（図２参照）を有している。
この嵌合部９２の外周面にはシール部材としてのＯリング９４が上下に一対保持されており、これらＯリング９４による水密シール状態の下で、嵌合部９２が相手側管体３２の内面に嵌合するようになしてある。
【００３４】
ストレーナ保持部５４にはまた、この嵌合部９２の図中下側の位置に、全周に亘る環状溝（取付部）９０が設けられており、この環状溝９０においてストレーナユニット２０が上記のねじリング４２を介し相手側管体３２に取り付けられるようになっている。
【００３５】
詳しくは、図３にも示しているようにねじリング４２にはこれを径方向に貫通する開口９５が設けられていて、その開口９５に、一対の弾性脚９６と連結部９８とを有する留め具１００が差し込まれ、そして留め具１００の弾性脚９６が、ストレーナ保持部５４の環状溝９０に係合せしめられることで、ストレーナ保持部５４即ちストレーナユニット２０が留め具１００，ねじリング４２を介し相手側管体３２に脱着可能に取り付けられている。
尚、図２において１４Ａはストレーナ保持部５４の内部に形成された内部流路を表している。
【００３６】
次に本実施形態の作用を以下に説明する。
本実施形態においては、可撓性の給水ホース１６を通じて上流側から送られて来た水は、ストレーナユニット２０におけるストレーナ保持部５４の内部流路１４Ａを図２中上向きに流れてストレーナ５２に到り、そしてストレーナ５２を内周側から外周側に径方向に流れ出て、開口３４を通じ局部洗浄装置１０の洗浄ノズル１２側に流れ、或いは開口３６を通じ分岐流路２６へと流れて手洗用の吐水管へと供給される。
その際、ストレーナ５２は流水が内周側から外周側へと通過することで、内周面を濾過面として流水中からゴミや砂等の異物を濾過し除去する。
【００３７】
長期使用によりストレーナ５２の内周面に異物が多く付着し堆積することによって、ストレーナ５２を清掃する必要が生じたとき、この実施形態では、ねじリング４２を回転操作してこれを相手側管体３２から外すことによって、ストレーナユニット２０全体を給水ホース１６接続状態の下で相手側管体３２から図中下向きに抜き出す。
【００３８】
そしてその後、ストレーナキャップ８０を取り外し、ストレーナ５２の先端の開口面を開放した状態とした上で開口面を下向きとし、また給水ホース１６を上側に位置させた状態として、給水ホース１６内の残水をストレーナ保持部５４及びストレーナ５２の内部を流通させて先端の開口面から流出させる。
【００３９】
このとき、ストレーナ５２の内周面即ち濾過面に付着し堆積していた異物は、ストレーナ５２の内周面に沿って下向き且つ軸方向に強い勢いで流れる給水ホース１６内部の残水の流れによってストレーナ５２の内周面から除去され、外部へと洗い流される。
即ち、ストレーナユニット２０を相手側管体３２から取り出したその場で、ストレーナ５２を清掃することができる。
【００４０】
そして清掃が終わったら、再びストレーナキャップ８０をストレーナ５２に取り付けて、ストレーナ５２の先端の開口面を閉鎖し、その状態で再びストレーナユニット２０を給水ホース１６接続状態のままで相手側管体３２の内部に挿入し、更にねじリング４２を回転操作し締め付けることで、ストレーナユニット２０即ちストレーナ５２を再びもとの位置にセットすることができる。
【００４１】
以上のように本実施形態においては、給水ホース１６接続状態の下でストレーナユニット２０を相手側管体３２から取り出し、そしてストレーナキャップ８０を開いてストレーナ５２の先端の開口面を開放して下向きとし且つ給水ホース１６を上側として、給水ホース１６内の残水をストレーナ５２の内周面に沿って下向きに軸方向に流すことで、ストレーナ５２の内周面の付着異物を洗い流し除去することができる。
そしてこのようにすることで、ストレーナ５２の清掃をその場で簡単に行うことができる。
【００４２】
即ち、従来のようにストレーナ５２を相手側管体３２から取り出した後、これを別の場所である洗面台や流し台等に持ち運んで、そこで水栓の吐水口からの吐水の流れによって清掃するといった面倒なことを行わなくても、ストレーナ５２を給水ホース１６に接続した状態のまま、その場において簡単に清掃することができる。
併せてストレーナ５２の濾過面である内周面に付着し堆積している異物を、給水ホース１６の残水の流れによって綺麗に洗い流し除去することができる。
【００４３】
その際ストレーナ５２の内周面に沿って先端の開口面に向かい軸方向に流れる給水ホース１６内の残水の流れは、ストレーナ５２の内周面に付着している異物を引き離す強い流れとなり、そのような流れによってストレーナ５２の内周面の異物を効率高く除去することができる。
【００４４】
以上本発明の実施形態を詳述したが、本発明は上例以外の他の様々な個所に設置されるストレーナユニットに対して適用可能であるし、また上例ではストレーナキャップ８０を脱着可能としているが、単にこれをストレーナに対し開閉可能に接続状態に設けておくといったことも可能であり、更にストレーナ５２を相手側管体３２に取り付けるための取付部や給水ホース１６への接続部を他の形態で設けることも可能である等、本発明はその趣旨を逸脱しない範囲において種々変更を加えた形態で構成可能である。
【符号の説明】
【００４５】
１６  給水ホース
２０  ストレーナユニット
３２  相手側管体
４０  ねじ結合部
４２  ねじリング
４８  フランジ部
５２  ストレーナ
５４  ストレーナ保持部
５６  雌嵌合部（接続部）
５８  フランジ部（接続部）
６０  ばねクリップ
８０  ストレーナキャップ
９０  環状溝（取付部）
１０２  挿入口
【図１】
2010253448.tif 000003
【図２】
2010253448.tif 000004
【図３】
2010253448.tif 000005
【図４】
2010253448.tif 000006